(57)【特許請求の範囲】
【請求項１】
表側デッキボード及び裏側デッキボードの縁部周囲から水平方向に突出する突出部が形成された合成樹脂製パレットであって、前記表側デッキボードの突出部の下面と水平面とのなす角度及び前記裏側デッキボードの突出部の上面と水平面とのなす角度を４５〜６０度としたことを特徴とする合成樹脂製パレット。
【発明の詳細な説明】
【０００１】
【発明の属する技術分野】
本発明は、種々の物品を載置して、運搬或いは保管するための合成樹脂製パレットに関するものである。
【０００２】
【従来の技術】
従来、パレットの側壁に貼着されるシールやバーコード等を保護するために、表側デッキボード及び裏側デッキボードの縁部周囲から水平方向に突出する突出部を形成した合成樹脂製パレットが知られている。
【０００３】
【発明が解決しようとする課題】
従来の合成樹脂製パレットＰには、図２に示されているように、合成樹脂製パレットＰの側壁１に貼着されるシールやバーコード等を保護するために、表側デッキボード２及び裏側デッキボード３の縁部周囲から水平方向に突出する突出部２ａ、３ａが形成されており、表側デッキボード２の突出部２ａの下面及び裏側デッキボード３の突出部３ａの上面は、ほぼ水平となっている。なお、４は、フォーク差し込み口である。
【０００４】
図３（ａ）に示されているように、上述した従来の合成樹脂製パレットが２枚、併置されている場合に、例えば、右側に位置する合成樹脂製パレットＰの右側のフォーク差し込み口にフォークを差し込もうとすると、右側の合成樹脂製パレットＰが、左側に位置する合成樹脂製パレットＰ’（なお、左側に位置する合成樹脂製パレット及びその構成部分には、ダッシュ（’）が付されている。）の方向に押されて、右側の合成樹脂製パレットＰの裏側デッキボード３に形成された突出部３ａが、左側の合成樹脂製パレットＰ’の裏側デッキボード３’に形成された突出部３ａ’の下に入り込むようなことがある。このような状態で、右側の合成樹脂製パレットＰをフォークリフトで上昇させると、右側の合成樹脂製パレットＰの裏側デッキボード３に形成された突出部３ａにより、左側の合成樹脂製パレットＰ’の一端が持ち上げられて傾斜し、左側の合成樹脂製パレットＰ’に物品が載置されている場合には、物品が落下したり、或いは、左側の合成樹脂製パレットＰ’に合成樹脂製パレットが段積みされている場合には、段積みされた合成樹脂製パレットが崩れて落下する等の問題があった。
【０００５】
また、図３（ｂ）に示されているように、右側の合成樹脂製パレットＰの裏側デッキボード３に形成された突出部３ａが、左側の合成樹脂製パレットＰ’の裏側デッキボード３’に形成された突出部３ａ’の上に載置された場合にも、この状態で、右側の合成樹脂製パレットＰをフォークリフトで上昇させると、右側の合成樹脂製パレットＰの裏側デッキボード３に形成された突出部３ａが、その上昇過程において、左側の合成樹脂製パレットＰ’の表側デッキボード２’に形成された突出部２ａ’に引っ掛ることになり、従って、左側の合成樹脂製パレットＰ’の一端が持ち上げられて傾斜することになる。
【０００６】
左側の合成樹脂製パレットＰ’の側壁１’と右側の合成樹脂製パレットＰの側壁１が平行を保ったままで当接した場合には、右側の合成樹脂製パレットＰの表、裏側デッキボード２、３に形成された突出部２ａ、３ａが、左側の合成樹脂製パレットＰ’の表、裏側デッキボード２’、３’に形成された突出部２ａ’、３ａ’とほぼ線で接触することになり、右側の合成樹脂製パレットＰの裏側デッキボード３に形成された突出部３ａが、左側の合成樹脂製パレットＰ’の裏側デッキボード３’に形成された突出部３ａ’に下に入り込むようなことが比較的少ない。しかしながら、通常の作業においては、図４に示されているように、フォークＦにより移動した右側の合成樹脂製パレットＰの角部Ｃが、左側の合成樹脂製パレットＰ’の側壁１’に当接する場合が多く、従って、右側の合成樹脂製パレットＰの裏側デッキボード３に形成された突出部３ａが、左側の合成樹脂製パレットＰ’の裏側デッキボード３’に形成された突出部３ａ’に下に入り込むようなことがしばしば発生することになる。
【０００７】
また、右側の合成樹脂製パレットＰと左側の合成樹脂製パレットＰ’とがローラーコンベヤーやベルトコンベヤー等の搬送手段により搬送されている場合に、左側の合成樹脂製パレットＰ’を、図示されていないストッパーにより停止した際に、図３（ｂ）に示されているように、右側の合成樹脂製パレットＰの表、裏側デッキボード２、３に形成された突出部２ａ、３ａが、左側の合成樹脂製パレットＰ’の表、裏側デッキボード２’、３’に形成された突出部２ａ’、３ａ’の上に乗っかって、左側の合成樹脂製パレットＰ’を、搬送手段から排出するのが困難になる等の問題があった。
【０００８】
本発明の目的は、上述した従来の合成樹脂製パレットが有する課題を解決するとともに、その取扱性の向上した合成樹脂製パレットを提供することにある。
【０００９】
【課題を解決するための手段】
本発明は、上述した目的を達成するために、表側デッキボード及び裏側デッキボードの縁部周囲から水平方向に突出する突出部が形成された合成樹脂製パレットであって、前記表側デッキボードの突出部の下面と水平面とのなす角度及び前記裏側デッキボードの突出部の上面と水平面とのなす角度を４５〜６０度としたものである。
【００１０】
【実施例】
以下に、本発明の合成樹脂製パレットの角部付近の正面図である図１を用いて、本発明の実施例について説明するが、本発明の趣旨を越えない限り何ら、本実施例に限定されるものではない。なお、本発明の合成樹脂製パレットにおいても、上述した従来の合成樹脂製パレットと同じ構成部分には、同一の符号が使用されている。
【００１１】
本発明においては、合成樹脂製パレットＰの表側デッキボード２の縁部周囲から水平方向に突出する突出部２ａの下面２ｂと水平面とのなす角度（θ）を、４５〜６０度とするとともに、同様に、裏側デッキボード３の縁部周囲から水平方向に突出する突出部３ａの上面３ｂと水平面とのなす角度（θ）を、４５〜６０度としたものである。
【００１２】
上述したように、表側デッキボード２の突出部２ａの下面２ｂと水平面とのなす角度（θ）及び裏側デッキボード３の突出部３ａの上面３ｂと水平面とのなす角度（θ）を、４５〜６０度としたので、従来の表側デッキボード２の突出部２ａの下面２ｂと水平面とのなす角度及び裏側デッキボード３の突出部３ａの上面３ｂと水平面とのなす角度がほぼ零度や３０度以下程度のものと異なり、図３（ａ）に示されているように、右側の合成樹脂製パレットＰの裏側デッキボード３に形成された突出部３ａが、左側の合成樹脂製パレットＰ’の裏側デッキボード３’に形成された突出部３ａ’の下に入り込んでも、右側の合成樹脂製パレットＰの裏側デッキボード３の突出部３ａの上面３ｂが、水平面とのなす角度（θ）が４５〜６０度と大きく傾斜しているので、左側の合成樹脂製パレットＰ’の裏側デッキボード３’の突出部３ａ’が、右側の合成樹脂製パレットＰの裏側デッキボード３の突出部３ａの上面３ｂに沿って下降し、右側の合成樹脂製パレットＰの裏側デッキボード３の突出部３ａと左側の合成樹脂製パレットＰ’の裏側デッキボード３’の突出部３ａ’との重なりが解消されることになる。また、図３（ａ）に示されているような状態から、右側の合成樹脂製パレットＰをフォークリフトで持ち上げても、左側の合成樹脂製パレットＰ’の裏側デッキボード３’の突出部３ａ’が、右側の合成樹脂製パレットＰの裏側デッキボード３の突出部３ａから、容易に外れることができる。
【００１３】
また、合成樹脂製パレットＰ同士の側壁１が平行を保ったままで当接し、突出部２ａ、３ａが重なり合っても、上述したと同様に、一方の合成樹脂製パレットＰの表、裏側デッキボード２、３の突出部２ａ、３ａが、もう一方の合成樹脂製パレットＰの表、裏側デッキボード２、３の突出部２ａ、３ａの上面３ｂに沿って下降し、合成樹脂製パレットＰの突出部２ａ、３ａ同士の重なりが解消されることになる。
【００１４】
表側デッキボード２の突出部２ａの下面２ｂと水平面とのなす角度（θ）及び裏側デッキボード３の突出部３ａの上面３ｂと水平面とのなす角度（θ）が、４５度未満であると、一方の合成樹脂製パレットＰの表、裏側デッキボード２、３の突出部２ａ、３ａが、もう一方の合成樹脂製パレットＰの表、裏側デッキボード２、３の突出部２ａ、３ａの上面３ｂに沿って下降しずらくなり、合成樹脂製パレットＰの突出部２ａ、３ａ同士の重なりの解消が困難になる。特に、合成樹脂製パレットＰがリブ構造で形成されて軽量化されたものであると、自重により、一方の合成樹脂製パレットＰの表、裏側デッキボード２、３の突出部２ａ、３ａが、もう一方の合成樹脂製パレットＰの表、裏側デッキボード２、３の突出部２ａ、３ａの上面３ｂに沿って下降することが困難になる。また、６０度を越えると、突出部２ａ、３ａを形成するためには、突出部２ａ、３ａの厚さを厚くしなければならなくなる。突出部２ａ、３ａの厚さを厚くすると、合成樹脂製パレットＰを射出成形した後の冷却工程で、所謂、ひけが発生し、表、裏側デッキボード２、３や突出部２ａ、３ａに変形や歪みが発生することになる。
【００１５】
【発明の効果】
本発明は、以上説明したように構成されているので、以下に記載する効果を奏することができる。
【００１６】
併置された合成樹脂製パレット同士の突出部の重なりを解消することができるので、成樹脂製パレットの上昇により、もう一方の合成樹脂製パレットの一端が持ち上げられて傾斜したり、或いは、一方の合成樹脂製パレットの突出部が、もう一方の合成樹脂製パレットの突出部の上に乗りかかるようなことが防止できる。
【図面の簡単な説明】
【図１】図１は本発明の合成樹脂製パレットの角部付近の正面図である。
【図２】図２は従来の合成樹脂製パレットの角部付近の斜視図である。
【図３】図３は従来の合成樹脂製パレット同士の当接状態を示す部分正面図である。
【図４】図４は従来の合成樹脂製パレット同士の当接状態を示す平面図である。
【符号の説明】
Ｃ・・・・・・・角部
Ｐ・・・・・・・合成樹脂製パレット
２・・・・・・・表側デッキボード
３・・・・・・・裏側デッキボード
２ａ、３ａ・・・突出部
【図１】
0003883620.tif 000002
【図２】
0003883620.tif 000003
【図３】
0003883620.tif 000004
【図４】
0003883620.tif 000005